(57)【要約】【課題】  リフレッシュ動作を行うことなく、アナログ信号のレベルを常に正確に保持する。【解決手段】  信号保持回路１Ａは第１及び第２ボルテージフォロアＢ１及びＢ２を備える。入力端子ＩＮと第１ボルテージフォロアＢ１の入力端の間には第１スイッチＳ１が電気的に接続されている。第１スイッチＳ１は書込期間にオン状態となる一方、保持期間においてオフ状態となる。第２ボルテージフォロアＢ２の出力端と第１ボルテージフォロアＢ１の入力端の間には、第２スイッチＳ２が接続されている。第２スイッチＳ２は、書込期間にオフ状態となる一方、保持期間においてオン状態となる。保持期間においてはフィードバックループが構成され、入力電圧信号Ｖｉｎが保持される。【選択図】      図１
2007096594.tif 000002
【特許請求の範囲】
【請求項１】
入力電圧信号が供給される入力端子と、
第１のボルテージフォロアと、
前記入力端子と前記第１のボルテージフォロアの入力端との間に設けられた第１のスイッチと、
前記第１のボルテージフォロアの出力信号が供給される第２のボルテージフォロアと、
前記第２のボルテージフォロアの出力信号を前記第１のボルテージフォロアの入力端にフィードバックする経路と、
前記第１のボルテージフォロアの出力信号が供給される出力端子とを備え、
前記出力端子から出力電圧信号を取り出す、
ことを特徴とする信号保持回路。
【請求項２】
前記経路に設けられた第２のスイッチを備えることを特徴とする請求項１に記載の信号保持回路。
【請求項３】
前記第１のスイッチは、前記入力電圧信号を書き込む書込期間においてオン状態となる一方、前記入力電圧信号を保持する保持期間においてオフ状態となり、
前記第２のスイッチは、前記書込期間においてオフ状態となる一方、前記保持期間においてオン状態となる、
ことを特徴とする請求項２に記載の信号保持回路。
【請求項４】
前記第１のボルテージフォロアの出力端と前記出力端子との間に設けられ、少なくとも前記書込期間においてオフ状態となる第３のスイッチを備えることを特徴とする請求項３に記載の信号保持回路。
【請求項５】
前記第１のスイッチは、所定の周期でオン状態となることを特徴とする請求項１乃至４のうちいずれか１項に記載の信号保持回路。
【請求項６】
請求項２に記載の信号保持回路を２つ有し、
一方の信号保持回路の出力電圧信号と他方の信号保持回路の出力電圧信号を選択的に出力する信号選択手段を備える、
ことを特徴とする信号保持回路。
【請求項７】
前記信号選択手段が、前記一方の信号保持回路の出力電圧信号を選択する第１期間において、
前記一方の信号保持回路の第１のスイッチはオフ状態、第２のスイッチはオン状態となり、
前記第１期間の前半に割り当てられる第１保持期間では、前記他方の信号保持回路の第１のスイッチはオフ状態、第２のスイッチはオン状態となり、前記第１期間の後半に割り当てられる第１書込期間では、前記他方の信号保持回路の第１のスイッチはオン状態、第２のスイッチはオフ状態となり、
前記信号選択手段が、前記他方の信号保持回路の出力電圧信号を選択する第２期間において、
前記他方の信号保持回路の第１のスイッチはオフ状態、第２のスイッチはオン状態となり、
前記第２期間の前半に割り当てられる第２保持期間では、前記一方の信号保持回路の第１のスイッチはオフ状態、第２のスイッチはオン状態となり、前記第２期間の後半に割り当てられる第２書込期間では、前記一方の信号保持回路の第１のスイッチはオン状態、第２のスイッチはオフ状態となる、
ことを特徴とする請求項６に記載の信号保持回路。
【請求項８】
前記第１又は第２のボルテージフォロアの少なくとも一方は、
その入力端としての正入力端子と、その出力端と電気的に接続される負入力端子と、
前記正入力端子に供給される電圧を第１電流に変換する第１の電圧電流変換回路と、
前記負入力端子に供給される電圧を第２電流に変換する第２の電圧電流変換回路と、
前記第１の電圧電流変換回路と前記第２の電圧電流変換回路に電気的に接続され、前記第１電流と前記第２電流の大きさが等しくなるように調整するカレントミラー回路と、
を備えることを特徴とする請求項１乃至７のうちいずれか１項に記載の信号保持回路。
【請求項９】
前記カレントミラー回路は、
そのドレイン及びゲートが前記第１の電圧電流変換回路及びノードに電気的に接続され、そのソースが高電位電源に電気的に接続される第１のｐチャネルトランジスタと、
そのゲートが前記ノードに電気的に接続され、そのソースが前記高電位電源に電気的に接続され、そのドレインが前記第２の電圧電流変換回路に電気的に接続される第２のｐチャネルトランジスタと、
前記ノードと前記高電位電源との間に設けられた容量素子と、
を備えることを特徴とする請求項８に記載の信号保持回路。
【請求項１０】
請求項１乃至９のうちいずれか１項に記載の信号保持回路と、
前記出力電圧信号に信号処理を施して駆動信号を生成する信号処理回路と、
を備えたことを特徴とする駆動回路。
【請求項１１】
前記信号処理回路は、前記出力電圧信号に電圧−電流変換を施して前記駆動信号を生成することを特徴とする請求項１０に記載の駆動回路。
【請求項１２】
前記信号処理回路は、前記出力電圧信号に電流増幅を施して前記駆動信号を生成することを特徴とする請求項１０に記載の駆動回路。
【請求項１３】
請求項１０に記載の駆動回路と、
前記駆動信号によって駆動される電気光学素子と、
を備えたことを特徴とする電気光学装置。
【請求項１４】
請求項１３に記載の電気光学装置を備えたことを特徴とする電子機器。
【発明の詳細な説明】
【技術分野】
【０００１】
本発明は、信号保持回路、駆動回路、電気光学装置および電子機器に関する。
【背景技術】
【０００２】
アナログ信号を長時間保持するためにコンデンサに電荷を蓄積し、これを電圧信号として取り出すホールド回路が知られている。コンデンサを用いたホールド回路では、コンデンサから漏れる電荷によって保持すべきアナログ信号のレベルが変化してしまう。
コンデンサの漏れ電荷を補償するアナログメモリ回路が特許文献１に開示されている。このアナログメモリ回路は、アナログ信号を電荷として保持する第１コンデンサと、漏れ電荷を保持する第２コンデンサとが直列に接続される。そして、アナログ信号を第１コンデンサに書き込む期間に第２コンデンサを初期化し、保持期間に発生した漏れ電荷を第２コンデンサに蓄積する。さらに、漏れ電荷量を検出し、検出量に相当する電荷を第１コンデンサに供給して、第１コンデンサの電荷量をリフレッシュする。
【特許文献１】特開平９-１８５８９５号公報（要約）
【発明の開示】
【発明が解決しようとする課題】
【０００３】
しかしながら、従来のアナログメモリ回路では、回路内でリフレッシュ動作が必要となる。また、第１コンデンサから電荷が漏れる点は変わりがないので、保持するアナログ信号のレベルがリフレッシュ周期で変動し、特に、リフレッシュ動作の直前には、アナログ信号のレベルが低下するといった問題があった。
本発明は、このような事情に鑑みてなされたものであり、リーク電流による信号レベルの低下を防止するためのリフレッシュ動作を行うことなく、アナログ信号のレベルを正確に保持するという課題の解決を目的としている。
【課題を解決するための手段】
【０００４】
この課題を解決するために、本発明に係る信号保持回路は、入力電圧信号が供給される入力端子と、第１のボルテージフォロアと、前記入力端子と前記第１のボルテージフォロアの入力端との間に設けられた第１のスイッチと、前記第１のボルテージフォロアの出力信号が供給される第２のボルテージフォロアと、前記第２のボルテージフォロアの出力信号を前記第１のボルテージフォロアの入力端にフィードバックする経路と、前記第１のボルテージフォロアの出力信号が供給される出力端子とを備え、前記出力端子から前記出力電圧信号を取り出すことを特徴とする。
【０００５】
この発明によれば、第２のボルテージフォロアの出力信号を第１のボルテージフォロアの入力端にフィードバックする経路を有するので、第１のスイッチがオフ状態になった後にも入力電圧信号のレベルを保持することができる。また、コンデンサを用いないので、リーク電流によって保持する信号レベルが低下することもなく、これに伴うリフレッシュ動作を不要にすることができる。
【０００６】
ここで、上述した信号保持回路は、前記経路に設けられた第２のスイッチを備えることが好ましい。また、前記第１のスイッチは、前記入力電圧信号を書き込む書込期間（実施形態のＴｗ）においてオン状態となる一方、前記入力電圧信号を保持する保持期間（実施形態のＴｈ）においてオフ状態となり、前記第２のスイッチは、前記書込期間においてオフ状態となる一方、前記保持期間においてオン状態となることが好ましい。この場合には、書込期間において第２のスイッチがオフ状態となるので容易に入力電圧信号を信号保持回路に取り込むことができる。
【０００７】
また、上述した信号保持回路において、前記第１のボルテージフォロアの出力端と前記出力端子との間に設けられ、少なくとも前記書込期間においてオフ状態となる第３のスイッチを備えることが好ましい。書込期間において以前の入力電圧信号のレベルと今回の入力電圧信号のレベルが相違すると、出力電圧信号のレベルが乱れる。第３のスイッチは書込期間においてオフ状態となるので、出力電圧信号の乱れを防止することができる。なお、第３のスイッチは、書込期間を含みこれより長い期間においてをオフ状態となってもよいし、書込期間においてオフ状態となる一方、保持期間においてオン状態となってもよいことは勿論である。
【０００８】
さらに、上述した信号保持回路において前記第１のスイッチは、所定の周期でオン状態となることが好ましい。この場合には、所定の周期で保持する信号レベルをリフレッシュすることができる。上述したように本発明の信号保持回路は、信号レベルを保持するコンデンサを有さないので、リーク電流の観点からリフレッシュ動作を行う必要はない。しかしながら、一般に、ボルテージフォロアの入力インピーダンスは高いので、その入力端に飛び込みノイズが重畳しやすい。従って、保持期間にノイズが第１または第２のボルテージフォロアに飛び込むと、出力電圧信号にノイズが重畳してしまう。この発明によれば、所定の周期で入力電圧信号を書き込むので、ノイズを除去することができる。
【０００９】
次に、本発明に係る他の信号保持回路は、上述した信号保持回路を２つ有し、一方の信号保持回路の出力電圧信号と他方の信号保持回路の出力電圧信号を選択的に出力する信号選択手段を備えることが好ましい。この発明によれば、信号保持回路を多重化することができので、一方の信号保持回路に入力電圧信号を書き込んでいる期間においても他方の信号保持回路から出力電圧信号を取り出すことが可能となる。
【００１０】
より具体的には、前記信号選択手段が、前記一方の信号保持回路の出力電圧信号を選択する第１期間（例えば、図８のＴ１）において、前記一方の信号保持回路の第１のスイッチはオフ状態、第２のスイッチはオン状態となり、前記第１期間の前半に割り当てられる第１保持期間（例えば、図８のＴｈ１）では、前記他方の信号保持回路の第１のスイッチはオフ状態、第２のスイッチはオン状態となり、前記第１期間の後半に割り当てられる第１書込期間（例えば、図８のＴｗ１）では、前記他方の信号保持回路の第１のスイッチはオン状態、第２のスイッチはオフ状態となり、前記信号選択手段が、前記他方の信号保持回路の出力電圧信号を選択する第２期間（例えば、図８のＴ２）において、前記他方の信号保持回路の第１のスイッチはオフ状態、第２のスイッチはオン状態となり、前記第２期間の前半に割り当てられる第２保持期間（例えば、図８のＴｈ２）では、前記一方の信号保持回路の第１のスイッチはオフ状態、第２のスイッチはオン状態となり、前記第２期間の後半に割り当てられる第２書込期間（例えば、図８のＴｗ２）では、前記一方の信号保持回路の第１のスイッチはオン状態、第２のスイッチはオフ状態となることが好ましい。この場合には、一方の信号保持回路が入力電圧信号を取り込み終わると、当該信号保持回路の出力電圧信号が選択され、取り込み期間中は他方の信号保持回路の出力電圧信号が選択される。従って、保持すべき信号レベルの更新に伴う待ち時間がないので高速動作に対応することができる。また、入力電圧信号の書き込みは２つの信号保持回路に対して交互に行われるので、最新に取り込んだ入力電圧信号を出力電圧信号として出力することができる。
【００１１】
また、上述した信号保持回路において、前記第１又は第２のボルテージフォロアの少なくとも一方は、その入力端としての正入力端子と、その出力端と電気的に接続される負入力端子と、前記正入力端子に供給される電圧を第１電流に変換する第１の電圧電流変換回路と、前記負入力端子に供給される電圧を第２電流に変換する第２の電圧電流変換回路と、前記第１の電圧電流変換回路と前記第２の電圧電流変換回路に電気的に接続され、前記第１電流と前記第２電流の大きさが等しくなるように調整するカレントミラー回路とを備えることが好ましい。このボルテージフォロアによれば、カレントミラー回路を備えるので、第１電流と第２電流の大きさが等しくなるように調整される。ここで、第１及び第２の電圧電流変換回路は、後述する実施形態のｎチャネルトランジスタｎ１及びｎ２に各々対応する。
【００１２】
ここで、前記カレントミラー回路は、そのドレイン及びゲートが前記第１の電圧電流変換回路及びノードに電気的に接続され、そのソースが高電位電源に電気的に接続される第１のｐチャネルトランジスタと、そのゲートが前記ノードに電気的に接続され、そのソースが前記高電位電源に電気的に接続され、そのドレインが前記第２の電圧電流変換回路に電気的に接続される第２のｐチャネルトランジスタと、前記ノードと前記高電位電源との間に設けられた容量素子とを備えることが好ましい。この場合には、ノードＮの電位を安定化させることができるので、ノイズが多い環境においても正確に入力電流信号の大きさを保持することが可能となる。
【００１３】
次に、本発明に係る駆動回路は、上述した信号保持回路と、前記出力電圧信号に信号処理を施して駆動信号を生成する信号処理回路とを備える。この駆動回路によれば、信号保持回路によって入力電圧信号が保持されるので、駆動信号を生成するために常時、入力電圧信号を駆動回路に供給する必要がなくなる。ここで、信号処理回路は、前記出力電圧信号に電圧−電流変換を施して前記駆動信号を生成するものであってもよいし、あるいは、前記出力電圧信号に電流増幅を施して前記駆動信号を生成するものであってもよい。
【００１４】
次に、本発明に係る電気光学装置は、上述した駆動回路と、前記駆動信号によって駆動される電気光学素子とを備えたことを特徴とする。電気光学素子とは、電気エネルギーによって光学特性が変化する素子である。例えば、有機発光ダイオード、無機発光ダイオードなどの発光ダイオード、電界放出素子（ＦＥＤ：Field  Emission  Device）や表面伝導型電子放出素子（ＳＥＤ：Surface-conduction  Electron-emitter  Device）、弾道電子放出素子（ＢＳＤ：Ballistic  electron  Surface emitting Device）などが含まれ得る。
【００１５】
次に、本発明に係る電子機器は電気光学装置を備えることを特徴とする。本発明に係る電子機器の典型例は、電気光学装置を表示装置と使用した機器である。この種の電子機器としては、パーソナルコンピュータや携帯電話機などがある。もっとも、本発明に係る電気光学装置の用途は画像の表示に限定されない。例えば、光線の照射によって感光体ドラムなどの像担持体に潜像を形成するための露光装置としても本発明の電気光学装置を適用することができる。
【発明を実施するための最良の形態】
【００１６】
＜１．第１実施形態＞
図１は、本発明の第１実施形態に係る信号保持回路１Ａの回路図である。この図に示すように信号保持回路１Ａは入力端子ＩＮと出力端子ＯＵＴとを備える。入力端子ＩＮと第１ボルテージフォロアＢ１の入力端の間には第１スイッチＳ１が電気的に接続されている。第１ボルテージフォロアＢ１の出力端は出力端子ＯＵＴ及び第２ボルテージフォロアＢ２の入力端に接続されている。さらに、第２ボルテージフォロアＢ２の出力端と第１ボルテージフォロアＢ１の入力端の間には、第２スイッチＳ２が接続されている。第１スイッチＳ１及び第２スイッチＳ２は、図示せぬ制御回路から供給される第１制御信号及び第２制御信号によってオン・オフが制御される。これらのスイッチはトランジスタで構成され得る。
【００１７】
第１及び第２ボルテージフォロアＢ１及びＢ２は、演算増幅器によって構成され、それらの出力信号は負入力端子に１００％フィードバックされている。従って、第１及び第２ボルテージフォロアＢ１及びＢ２は、ゲイン「１」のバッファとして機能する。
図２に、第１及び第２ボルテージフォロアＢ１及びＢ２の回路例を示す。この図に示すように第１及び第２ボルテージフォロアＢ１及びＢ２は、ｐチャネルのトランジスタｐ１及びｐ２とｎチャネルのトランジスタｎ１及びｎ２とを備える。また、トランジスタｎ１は正入力端子の電圧を第１電流Ｉ１に変換する電圧電流変換回路として機能し、トランジスタｎ２は負入力端子の電圧を第１電流Ｉ１に変換する電圧電流変換回路として機能する。
【００１８】
この回路においてトランジスタｐ１及びｐ２はカレントミラー回路を構成しており、トランジスタｐ１は第１電流Ｉ１を電圧に変換してノードＮの電位とする一方、トランジスタｐ２はノードＮの電位を電流に変換して第２電流Ｉ２とする。カレントミラー回路は第１電流Ｉ１と第２電流Ｉ２の大きさが等しくなるように調整する。
トランジスタｎ１のゲート・ソース間の電圧に応じてトランジスタｎ１に流れる第１電流Ｉ１が定まり、同じ大きさの電流がトランジスタｐ２及びトランジスタｎ２に流れる。即ち、出力信号が１００％のフィードバックされている。第１及び第２ボルテージフォロアＢ１及びＢ２の入力インピーダンスはトランジスタｎ１のゲートにおける入力インピーダンスで定まるので、その値は高い。
【００１９】
図３に信号保持回路１Ａのタイミングチャートを示す。入力電圧信号Ｖｉｎを書き込む書込期間Ｔｗにおいて、第１スイッチＳ１はオン状態となる一方、第２スイッチＳ２はオフ状態となる。第１及び第２ボルテージフォロアＢ１及びＢ２のゲインは「１」であるので、書込期間Ｔｗの開始時点から第１及び第２ボルテージフォロアＢ１及びＢ２の伝播遅延時間が経過すると、第１ボルテージフォロアＢ１の出力端の電位は、第２ボルテージフォロアＢ２の入力端の電位と一致する。
【００２０】
次に、書込期間Ｔｗが終了すると保持期間Ｔｈが開始する。保持期間Ｔｗにおいて第１スイッチＳ１はオフ状態になる一方、第２スイッチＳ２はオン状態となる。このとき、第２ボルテージフォロアＢ２の出力端が第１ボルテージフォロアＢ１の入力端に電気的に接続されるので、回路全体で見たとき、１００％のフィードバックループが構成される。これにより、書込期間Ｔｗに取り込まれた入力電圧信号Ｖｉｎが保持期間Ｔｈにおいて安定的に保持される。第１ボルテージフォロアＢ１及び第２ボルテージフォロアＢ２の出力インピーダンスは低いので、コンデンサのようにリーク電流が問題となることはない。
【００２１】
このように本実施形態によれば、アナログ形式の入力電圧信号をコンデンサを用いることなく保持することができるので、リーク電流によって保持する信号レベルが低下することもなく、これに伴うリフレッシュ動作を不要にすることができる。
なお、第２スイッチＳＷ２をオフ状態からオン状態にする時点で第１ボルテージフォロアＢ１の出力端の電位と第２ボルテージフォロアＢ２の入力端の電位とが一致していると、出力電圧信号Ｖｏｕｔの信号レベルが乱れることもない。そこで、書込期間Ｔｗは第１及び第２ボルテージフォロアＢ１及びＢ２の伝播遅延時間より長いことが好ましい。
【００２２】
また、第１及び第２ボルテージフォロアＢ１及びＢ２の回路例としては、図２に示すものの他、図４に示す回路を採用してもよい。この構成例では、トランジスタｐ１のゲートとソースとの間、即ち、高電位電源ＶＤＤとノードＮとの間にコンデンサＣが設けられている。上述したように第１及び第２ボルテージフォロアＢ１及びＢ２は入力インピーダンスが高いので、ノイズが重畳し易い。このコンデンサＣを挿入すると、ノイズが発生してもアナログ電圧値が変動しにくくなるので、保持する信号レベルの信頼性を向上させることができる。
【００２３】
また、一旦、入来したノイズを除去する観点から、所定の周期で同じレベルの入力電圧信号Ｖｉｎを信号保持回路１Ａに書き込んでもよい。この場合には、所定の周期で書込期間Ｔｗと保持期間Ｔｈを繰り返して、第１スイッチＳ１をオン状態とすればよい。再度の書き込みによって、飛び込んだノイズを除去して、出力電圧信号Ｖｏｕｔの信頼性を向上させることができる。
【００２４】
＜２．第２実施形態＞
図５は、本発明の第２実施形態に係る信号保持回路１Ｂの回路図であり、図６は、その動作を示すタイミングチャートである。第２実施形態の信号保持回路１Ｂは、第１ボルテージフォロアＢ１の出力端と出力端子ＯＵＴとの間に第３スイッチＳ３を設けた点を除いて、図１に示す第１実施形態の信号保持回路１Ａと同様に構成されている。
【００２５】
第３スイッチＳ３は、図６に示すように書込期間Ｔｗにおいてオフ状態となり、保持期間Ｔｈにおいてオン状態となる。出力経路に第３スイッチＳ３を設けることにより、信号保持回路１と後段の回路を分離することができる。書込期間Ｔｗでは、前回の入力電圧信号Ｖｉｎのレベルと今回の入力電圧信号Ｖｉｎのレベルが相違すると、出力電圧信号Ｖｏｕｔの信号レベルが変化する。第３スイッチＳ３を設けることによって、出力電圧信号Ｖｏｕｔの信号レベルの乱れを後段の回路に出力しないようにできるので、異常な信号レベルに起因する後段の回路の誤動作を未然に防止することできる。
【００２６】
＜３．第３実施形態＞
図７は、本発明の第３実施形態に係る信号保持回路１Ｃの回路図であり、図８は、その動作を示すタイミングチャートである。この信号保持回路１Ｃは、第１実施形態の信号保持回路１Ａを多重化したものであり、２個の信号保持回路１Ａ、１Ａ’と第４スイッチＳ４を備える。一方の信号保持回路１Ａと他方の信号保持回路１Ａ’は同様に構成されている。
【００２７】
この信号保持回路１Ｃの動作は、図８に示すように第１期間Ｔ１と第２期間Ｔ２と交互に繰り返す。第４スイッチＳ４は、第１期間Ｔ１において一方の信号保持回路１Ａの出力信号を選択し、第２期間Ｔ２において他方の信号保持回路１Ａ’の出力信号を選択して出力電圧信号Ｖｏｕｔを生成する。
第１期間Ｔ１では、一方の信号保持回路１Ａの第１スイッチＳ１は常にオフ状態、第２スイッチＳ２は常にオン状態となる。従って、第１期間Ｔ１中に出力電圧信号Ｖｏｕｔの信号レベルが変化しない。
【００２８】
また、第１期間Ｔ１の前半に割り当てられる第１保持期間Ｔｈ１では、他方の信号保持回路１Ａ’の第１スイッチＳ１’はオフ状態、第２スイッチＳ２’はオン状態となり、第１期間Ｔ１の後半に割り当てられる第１書込期間Ｔｗ１では、他方の信号保持回路１Ａ’の第１スイッチＳ１’はオン状態、第２スイッチＳ２’はオフ状態となる。従って、第１書込期間Ｔｗ１において入力電圧信号Ｖｉｎが他方の信号保持回路１Ａ’に取り込まれる。上述したように第１期間Ｔ１では一方の信号保持回路１Ａの出力信号が選択されるので、第１書込期間Ｔｗ１に他方の信号保持回路１Ａ’の出力信号のレベルが乱れても、これが出力電圧信号Ｖｏｕｔに影響しない。
【００２９】
次に、第２期間Ｔ２では、他方の信号保持回路１Ａ’の第１スイッチＳ１’は常にオフ状態、第２スイッチＳ２’は常にオン状態となる。従って、第２期間Ｔ２中に出力電圧信号Ｖｏｕｔの信号レベルが変化することはなく、第１期間Ｔ１から第２期間Ｔ２へ切り替わる時点で出力電圧信号Ｖｏｕｔの信号レベルが変化する。
また、第２期間Ｔ２の前半に割り当てられる第２保持期間Ｔｈ２では、一方の信号保持回路１Ａの第１スイッチＳ１はオフ状態、第２スイッチＳ２はオン状態となり、第２期間Ｔ２の後半に割り当てられる第２書込期間Ｔｗ２では、一方の信号保持回路１Ａの第１スイッチＳ１はオン状態、第２スイッチＳ２はオフ状態となる。従って、第２書込期間Ｔｗ２において入力電圧信号Ｖｉｎが一方の信号保持回路１Ａに取り込まれる。
【００３０】
このように信号保持回路１Ａ及び１Ａ’を多重化することによって、入力電圧信号Ｖｉｎを書き込んでいる期間においても信号レベルが乱れることなく出力電圧信号Ｖｏｕｔを出力することができる。このため、保持すべき信号レベルの更新に伴う待ち時間がないので高速動作に対応することができる。また、入力電圧信号Ｖｉｎの書き込みは２つの信号保持回路１Ａ及び１Ａ’に対して交互に行われるので、最新に取り込んだ入力電圧信号Ｖｉｎを出力電圧信号Ｖｏｕｔとして出力することができる。
【００３１】
＜４．第４実施形態＞
第４実施形態は、第１乃至第３実施形態の信号保持回路を用いた駆動回路に関する。
図９は第４実施形態に係る駆動回路１０のブロック図である。駆動回路１０は信号保持回路１Ａ、１Ｂ又は１Ｃと信号処理回路２を備える。信号処理回路２は出力電圧信号Ｖｏｕｔに基づいて駆動信号Ｄｏｕｔを生成する。信号処理回路２の構成は、駆動対象によって適宜選択される。
【００３２】
信号処理回路２は、例えば、図１０（Ａ）に示す電圧−電流変換回路であってもよい。この場合には、出力電圧信号Ｖｏｕｔがｐチャネルトランジスタのゲートに供給されるので、そのゲート・ソース間電圧に応じて駆動信号Ｄｏｕｔの電流値が定まる。
また、信号処理回路２は、図１０（Ｂ）に示すようにボルテージフォロアであってもよい。この場合には、電流増幅が行われる。なお、信号保持回路１Ａ、１Ｂ又は１Ｃの出力インピーダンスが充分低い場合には、信号処理回路２を省略して、出力電圧信号Ｖｏｕｔをそのまま駆動信号Ｄｏｕｔとしてもよい。
【００３３】
＜５．第５実施形態＞
第５実施形態は、第４実施形態の駆動回路１０を用いた電気光学装置に関する。
図１１は第５実施形態に係る電気光学装置３０のブロック図である。電気光学装置３０は、駆動回路１０と駆動対象たる電気光学素子２０を備える。
例えば、信号処理回路２が図１０（Ａ）に示す電圧−電流変換回路である場合には、電気光学素子２０として、図１２（Ａ）に示すＯＬＥＤ（Organic Light Emitting Diode）素子２１を用いることができる。ＯＬＥＤ素子２１は駆動信号Ｄｏｕｔの電流値に応じて発光輝度が定まる。
また、信号処理回路２が図１０（Ｂ）に示す電流増幅器である場合には、電流増幅が行われる。この場合、電気光学素子２０として、図１２（Ｂ）に示す液晶素子２２を用いることができる。液晶素子２２は、駆動信号Ｄｏｕｔの電圧値に応じて透過率が定まる。
なお、電気光学素子は、電気エネルギーによって光学特性が変化する素子であればどのようなものであってもよい。例えば、無機発光ダイオードなどの発光ダイオード、電界放出素子や表面伝導型電子放出素子、弾道電子放出素子などが含まれる。
【００３４】
図１３は、電気光学素子としてＯＬＥＤ素子２１を採用した電気光学装置３０の具体的な構成を示すブロック図である。この電気光学装置３０は、画像を表示する手段として各種の電子機器に採用される装置であり、複数の画素回路Ｐが表面に配列された基板１００と、各画素回路Ｐを駆動するためのドライバ１２０と、このドライバ１２０の動作を制御する制御回路１２６とを有する。ドライバ１２０及び制御回路１２６の一部または全部は、基板１００に接合された配線基板（図示略）に実装される。ただし、これらの回路を搭載したＩＣチップが基板１００の表面に実装された構成や、基板１００の表面上に形成された薄膜トランジスタによってこれらの回路が実現される構成も採用される。
【００３５】
図１３に示されるように、基板１００の表面には、Ｘ方向に延在するｍ本の制御線１１０と、Ｘ方向と直交するＹ方向に延在するｎ本のデータ線１１３とが形成される（ｍおよびｎは自然数）。各画素回路Ｐは、制御線１１０とデータ線１１３との交差に対応する位置に配置される。したがって、これらの画素回路Ｐは縦ｍ行×横ｎ列のマトリクス状に配列する。
【００３６】
ドライバ１２０は、ｍ本の制御線１１０が接続されたＹドライバ１２１と、ｎ本のデータ線１１３が接続されたＸドライバ１２２とを含む。Ｙドライバ１２１は、複数の画素回路Ｐを水平走査期間ごとに行単位で選択して動作させるための回路である。一方、Ｘドライバ１２２は、各水平走査期間において、Ｙドライバ１２１が選択した１行分（ｎ個）の画素回路Ｐの各々に対応するデータ電位Ｖdataを生成して各データ線１１３に出力する。データ線１１３を介して画素回路Ｐに供給されるデータ電位Ｖdataは、その画素回路Ｐについて指定された階調（輝度）に対応する電位である。各画素回路Ｐの階調は、制御回路１２６から供給される画像データによって指定される。
以上の構成において上述した駆動回路１０は、例えば、各画素回路Ｐに設けられている。画素回路ＰはＯＬＥＤ素子２１を有しており、入力電圧信号Ｖｉｎとして与えられたデータ電位Ｖdataを保持して電流形式の駆動信号ＤｏｕｔをＯＬＥＤ素子２１に出力する。また、Ｘドライバ１２２に駆動回路１０を設けてもよい。この場合、画素回路ＰはＯＬＥＤ素子２１で構成され、パッシブ形式で駆動される。
【００３７】
＜６．応用例＞
次に、本発明に係る電気光学装置を利用した電子機器について説明する。図１４は、各実施形態に係る電気光学装置３０を表示装置として採用したモバイル型のパーソナルコンピュータの構成を示す斜視図である。パーソナルコンピュータ２０００は、表示装置としての電気光学装置３０と本体部２０１０とを備える。本体部２０１０には、電源スイッチ２００１およびキーボード２００２が設けられている。この電気光学装置３０は電気光学素子としてＯＬＥＤ素子２１を用いれば、視野角が広く見易い画面を表示できる。
【００３８】
図１５に、実施形態に係る電気光学装置３０を適用した携帯電話機の構成を示す。携帯電話機３０００は、複数の操作ボタン３００１およびスクロールボタン３００２、ならびに表示装置としての電気光学装置３０を備える。スクロールボタン３００２を操作することによって、電気光学装置３０に表示される画面がスクロールされる。
【００３９】
図１６に、実施形態に係る電気光学装置３０を適用した携帯情報端末（ＰＤＡ：Personal Digital Assistants）の構成を示す。情報携帯端末４０００は、複数の操作ボタン４００１および電源スイッチ４００２、ならびに表示装置としての電気光学装置３０を備える。電源スイッチ４００２を操作すると、住所録やスケジュール帳といった各種の情報が電気光学装置３０に表示される。
【００４０】
なお、本発明に係る電気光学装置が適用される電子機器としては、図１４から図１６に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、電気光学装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電気光学装置は使用される。
【図面の簡単な説明】
【００４１】
【図１】本発明の第１実施形態に係る信号保持回路１Ａの構成を示す回路図である。
【図２】第１及び第２ボルテージフォロアの構成例を示す回路図である。
【図３】信号保持回路１Ａの動作を示すタイミングチャートである。
【図４】第１及び第２ボルテージフォロアの他の構成例を示す回路図である。
【図５】本発明の第２実施形態に係る信号保持回路１Ｂの回路図である。
【図６】信号保持回路１Ｂの動作を示すタイミングチャートである。
【図７】本発明の第３実施形態に係る信号保持回路１Ｃの回路図である。
【図８】信号保持回路１Ｃの動作を示すタイミングチャートである。
【図９】本発明の第４実施形態に係る駆動回路１０のブロック図である。
【図１０】同回路に用いる信号処理回路の説明図である。
【図１１】本発明の第５実施形態に係る電気光学装置３０のブロック図である。
【図１２】同装置に用いる電気光学素子の説明図である。
【図１３】同装置の具体的な構成を示すブロック図である。
【図１４】本発明に係る電子機器の具体的な形態を示す斜視図である。
【図１５】本発明に係る電子機器の具体的な形態を示す斜視図である。
【図１６】本発明に係る電子機器の具体的な形態を示す斜視図である。
【符号の説明】
【００４２】
３０……電気光学装置、１Ａ，１Ｂ，１Ｃ……信号保持回路、Ｂ１……第１ボルテージフォロア、Ｂ２……第２ボルテージフォロア、ＩＮ……入力端子、ＯＵＴ……出力端子、Ｓ１……第１スイッチ、Ｓ２……第２スイッチ、Ｓ３……第３スイッチ、Ｓ４……第４スイッチ、Ｔ１……第１期間、Ｔ２……第２期間、Ｔｈ……保持期間、Ｔｗ……書込期間。
【図１】
2007096594.tif 000003
【図２】
2007096594.tif 000004
【図３】
2007096594.tif 000005
【図４】
2007096594.tif 000006
【図５】
2007096594.tif 000007
【図６】
2007096594.tif 000008
【図７】
2007096594.tif 000009
【図８】
2007096594.tif 000010
【図９】
2007096594.tif 000011
【図１０】
2007096594.tif 000012
【図１１】
2007096594.tif 000013
【図１２】
2007096594.tif 000014
【図１３】
2007096594.tif 000015
【図１４】
2007096594.tif 000016
【図１５】
2007096594.tif 000017
【図１６】
2007096594.tif 000018